(57)【要約】【課題】本発明は省エネルギモード及び定着予熱モードを原稿の挿入に基づいて解除する複合装置を提供する。【解決手段】デジタル複合装置は、省エネルギモードまたは定着予熱モードにおいて、画像読取部への原稿の挿入を原稿挿入検出部が検出すると、省エネルギモードまたは定着予熱モードを解除し、画像読取部による原稿の読み取りを行って、読み取った画像データを画像メモリ部に蓄積し、定着部の温度が定着温度になると、画像メモリ部に蓄積した原稿の画像データに基づいて画像形成部で画像形成する（ステップＳ１０１〜Ｓ１１１）。したがって、従来のように省エネルギモード解除ボタン等を操作することなく、省エネルギモードを解除することができ、デジタル複合装置１の利用性を向上させることができる。【選択図】          図３
2004200995.tif 000002
【特許請求の範囲】
【請求項１】
原稿の画像を読み取って画像データを出力する読取手段、画像データに基づいて画像を用紙に記録出力する記録手段等の各種資源を備え、当該各資源を使用してコピー処理、プリント処理、ファクシミリ通信処理等の各種機能動作処理を行うとともに、所定の待機状態で主要各部への電力供給を削減する省エネルギモードを備えた複合装置において、前記読取手段への原稿の挿入を検出する原稿挿入検出手段を備え、前記省エネルギモード時に当該原稿挿入検出手段が原稿の挿入を検出すると、当該省エネルギモードを解除することを特徴とする複合装置。
【請求項２】
前記記録手段は、画像データに基づいて静電潜像を形成した感光体に現像剤を付与して現像した現像剤像を用紙に転写し当該現像剤像の転写された用紙を定着手段で所定の定着温度に加熱して定着させて画像形成を行う記録手段であり、前記複合装置は、前記読取手段の読み取った原稿の画像データを蓄積する画像データ蓄積手段を備え、前記原稿挿入検出手段が前記原稿を検出して前記省エネルギモードを解除した時に、前記定着手段の温度が前記定着温度よりも低い温度であっても、前記読取手段による原稿の読み取りを開始して、当該読取手段の読み取った原稿の画像データを一旦前記画像データ蓄積手段に蓄積し、前記定着手段の温度が前記定着温度になると、当該画像データ蓄積手段に蓄積した前記画像データに基づいて前記記録手段で画像形成することを特徴とする請求項１記載の複合装置。
【請求項３】
原稿の画像を読み取って画像データを出力する読取手段、画像データに基づいて静電潜像を形成した感光体に現像剤を付与して現像した現像剤像を用紙に転写し当該現像剤像の転写された用紙を定着手段で所定の定着温度に加熱して定着させて画像形成を行う記録手段等の各種資源を備え、当該各資源を使用してコピー処理、プリント処理、ファクシミリ通信処理等の各種機能動作処理を行うとともに、所定の待機状態で前記定着手段の温度を前記定着温度よりも低い所定の予熱温度に下げて待機する定着予熱モードを備えた複合装置において、前記読取手段への原稿の挿入を検出する原稿挿入検出手段を備え、前記定着予熱モード時に当該原稿挿入検出手段が原稿の挿入を検出すると、当該定着予熱モードを解除することを特徴とする複合装置。
【請求項４】
前記複合装置は、前記読取手段の読み取った原稿の画像データを蓄積する画像データ蓄積手段を備え、前記原稿挿入検出手段が前記原稿を検出して前記定着予熱モードを解除した時に、前記定着手段の温度が前記定着温度よりも低い温度であっても、前記読取手段による原稿の読み取りを開始して、当該読み取った原稿の画像データを一旦前記画像データ蓄積手段に蓄積し、前記定着手段の温度が前記定着温度になると、当該画像データ蓄積手段に蓄積した前記画像データに基づいて前記記録手段で画像形成することを特徴とする請求項３記載の複合装置。
【発明の詳細な説明】
【０００１】
【発明の属する技術分野】
本発明は、複合装置に関し、詳細には、省エネルギモード及び定着予熱モードを原稿の挿入に基づいて解除する複合装置に関する。
【０００２】
【従来の技術】
【特許文献１】
特開２０００−１７２１３０号公報
従来から環境保全の目的から、機器のエネルギ消費効率の向上は近年重要になってきている。また、ユザー側にとっても、使用してないときの機器のエネルギ消費は経済的にも無駄である。
【０００３】
そこで、複写装置、ファクシミリ装置、プリンタ及びコピー機能、ファクシミリ機能、プリンタ機能等の複数の機能を備えた複合装置（マルチファンクション装置）等においても、省エネルギモードを備えたものが従来から出現しており、動作時以外の待機状態において、省エネルギモードに移行して、必要最小限のユニットについてのみ電力を供給し、画像形成動作時にしか使用しないユニットへの電力供給を停止することで、機器としてのシステム全体の消費電力を低減させている。
【０００４】
このような省エネルギモードを備えた機器においては、従来、その省エネルギモードからの復帰を操作部等に設けられた省エネルギコード解除ボタン等がユーザによって操作されることで、行っている。
【０００５】
そして、本出願人は、先に、電源の供給、遮断を指示する指示手段からの指示によって画像形成装置の各部への電力を供給した後で、当該各手段をリセットすることで、省エネルギモードからの復帰指示後の通常モードへの復帰を簡単なソフトウェア制御で行う画像形成装置を提案している（特許文献１参照）。
【０００６】
【発明が解決しようとする課題】
しかしながら、このような従来の省エネルギモードを備えて機器においては、省エネルギモードからの復帰処理を改良して、機器の利用性を向上させる上で、改良の必要があった。
【０００７】
すなわち、従来の省エネルギモードを備えた機器にあっては、省エネルギモードからの復帰を省エネルギモード解除ボタン等をユーザが操作することで、行っているため、ユーザは、省エネルギモードから通常モードへの復帰やコピーモードへの切り換えを行うためには、省エネルギモード解除ボタン等を操作する必要があり、利用性が悪いという問題があった。
【０００８】
また、特許文献１記載の画像形成装置にあっては、省エネルギモードからの復帰指示後の通常モードへの復帰を簡単なソフトウェア制御で行い、簡単なコマンドで確実に通常モードへ復帰することはできるが、省エネルギモードから通常モードへの復帰の指示をやはり省エネルギモード解除ボタン等をユーザが操作する必要があり、利用性を向上させる上で、改良の必要があった。
【０００９】
そして、また、電子写真方式の画像形成部を備えた機器は、定着部の温度を定着温度よりも低い予熱温度に下げて待機する定着予熱モードを備えているものが多く、このような従来の定着予熱モードを備えた機器にあっては、定着予熱モード解除ボタン等を操作することで、定着予熱モードの解除を行うようになっている。
【００１０】
そこで、請求項１記載の発明は、原稿の画像を読み取って画像データを出力する読取手段、画像データに基づいて画像を用紙に記録出力する記録手段等の各種資源を使用してコピー処理、プリント処理、ファクシミリ通信処理等の各種機能動作処理を行うとともに、所定の待機状態で主要各部への電力供給を削減する省エネルギモードを行うに際して、当該省エネルギモード時に、読取手段への原稿の挿入を原稿挿入検出手段が検出すると、当該省エネルギモードを解除することにより、従来のように省エネルギモード解除ボタン等を操作することなく、省エネルギモードを解除し、利用性を向上させることのできる複合装置を提供することを目的としている。
【００１１】
請求項２記載の発明は、原稿挿入検出手段が原稿を検出して省エネルギモードを解除した時に、記録手段の定着手段の温度が定着温度よりも低い温度であっても、読取手段による原稿の読み取りを開始して、当該読み取った原稿の画像データを一旦画像データ蓄積手段に蓄積し、定着手段の温度が定着温度になると、当該画像データ蓄積手段に蓄積した画像データに基づいて記録手段で画像形成することにより、定着手段の温度が定着温度になるまで待つことなく、読取手段での原稿の読み取りを開始させて、省エネルギモード解除から原稿の読取動作及び画像データの蓄積等の一連の動作をスムースに行わせ、処理時間を短縮して、より一層利用性を向上させることのできる複合装置を提供することを目的としている。
【００１２】
請求項３記載の発明は、原稿の画像を読み取って画像データを出力する読取手段、画像データに基づいて静電潜像を形成した感光体に現像剤を付与して現像した現像剤像を用紙に転写し当該現像剤像の転写された用紙を定着手段で所定の定着温度に加熱して定着させて画像形成を行う記録手段等の各種資源を使用してコピー処理、プリント処理、ファクシミリ通信処理等の各種機能動作処理を行うとともに、所定の待機状態で定着手段の温度を定着温度よりも低い所定の予熱温度に下げて待機する定着予熱モードを行うに際して、定着予熱モード時に、読取手段への原稿の挿入を原稿挿入検出手段が検出すると、当該定着予熱モードを解除することにより、従来のように定着予熱モード解除ボタン等を操作することなく、定着予熱モードを解除し、利用性を向上させることのできる複合装置を提供することを目的としている。
【００１３】
請求項４記載の発明は、原稿挿入検出手段が原稿を検出して定着予熱モードを解除した時に、定着手段の温度が定着温度よりも低い温度であっても、読取手段による原稿の読み取りを開始して、当該読み取った原稿の画像データを一旦画像データ蓄積手段に蓄積し、定着手段の温度が定着温度になると、当該画像データ蓄積手段に蓄積した画像データに基づいて記録手段で画像形成することにより、定着手段の温度が定着温度になるまで待つことなく、読取手段での原稿の読み取りを開始させて、定着予熱モード解除から原稿の読取動作及び画像データの蓄積等の一連の動作をスムースに行わせ、処理時間を短縮して、より一層利用性を向上させることのできる複合装置を提供することを目的としている。
【００１４】
【課題を解決するための手段】
請求項１記載の発明の複合装置は、原稿の画像を読み取って画像データを出力する読取手段、画像データに基づいて画像を用紙に記録出力する記録手段等の各種資源を備え、当該各資源を使用してコピー処理、プリント処理、ファクシミリ通信処理等の各種機能動作処理を行うとともに、所定の待機状態で主要各部への電力供給を削減する省エネルギモードを備えた複合装置において、前記読取手段への原稿の挿入を検出する原稿挿入検出手段を備え、前記省エネルギモード時に当該原稿挿入検出手段が原稿の挿入を検出すると、当該省エネルギモードを解除することにより、上記目的を達成している。
【００１５】
上記構成によれば、原稿の画像を読み取って画像データを出力する読取手段、画像データに基づいて画像を用紙に記録出力する記録手段等の各種資源を使用してコピー処理、プリント処理、ファクシミリ通信処理等の各種機能動作処理を行うとともに、所定の待機状態で主要各部への電力供給を削減する省エネルギモードを行うに際して、当該省エネルギモード時に、読取手段への原稿の挿入を原稿挿入検出手段が検出すると、当該省エネルギモードを解除するので、従来のように省エネルギモード解除ボタン等を操作することなく、省エネルギモードを解除することができ、利用性を向上させることができる。
【００１６】
この場合、例えば、請求項２に記載するように、前記記録手段は、画像データに基づいて静電潜像を形成した感光体に現像剤を付与して現像した現像剤像を用紙に転写し当該現像剤像の転写された用紙を定着手段で所定の定着温度に加熱して定着させて画像形成を行う記録手段であり、前記複合装置は、前記読取手段の読み取った原稿の画像データを蓄積する画像データ蓄積手段を備え、前記原稿挿入検出手段が前記原稿を検出して前記省エネルギモードを解除した時に、前記定着手段の温度が前記定着温度よりも低い温度であっても、前記読取手段による原稿の読み取りを開始して、当該読取手段の読み取った原稿の画像データを一旦前記画像データ蓄積手段に蓄積し、前記定着手段の温度が前記定着温度になると、当該画像データ蓄積手段に蓄積した前記画像データに基づいて前記記録手段で画像形成するものであってもよい。
【００１７】
上記構成によれば、原稿挿入検出手段が原稿を検出して省エネルギモードを解除した時に、記録手段の定着手段の温度が定着温度よりも低い温度であっても、読取手段による原稿の読み取りを開始して、当該読み取った原稿の画像データを一旦画像データ蓄積手段に蓄積し、定着手段の温度が定着温度になると、当該画像データ蓄積手段に蓄積した画像データに基づいて記録手段で画像形成するので、定着手段の温度が定着温度になるまで待つことなく、読取手段での原稿の読み取りを開始させて、省エネルギモード解除から原稿の読取動作及び画像データの蓄積等の一連の動作をスムースに行わせることができ、処理時間を短縮することができるとともに、より一層利用性を向上させることができる。
【００１８】
請求項３記載の発明の複合装置は、原稿の画像を読み取って画像データを出力する読取手段、画像データに基づいて静電潜像を形成した感光体に現像剤を付与して現像した現像剤像を用紙に転写し当該現像剤像の転写された用紙を定着手段で所定の定着温度に加熱して定着させて画像形成を行う記録手段等の各種資源を備え、当該各資源を使用してコピー処理、プリント処理、ファクシミリ通信処理等の各種機能動作処理を行うとともに、所定の待機状態で前記定着手段の温度を前記定着温度よりも低い所定の予熱温度に下げて待機する定着予熱モードを備えた複合装置において、前記読取手段への原稿の挿入を検出する原稿挿入検出手段を備え、前記定着予熱モード時に当該原稿挿入検出手段が原稿の挿入を検出すると、当該定着予熱モードを解除することにより、上記目的を達成している。
【００１９】
上記構成によれば、原稿の画像を読み取って画像データを出力する読取手段、画像データに基づいて静電潜像を形成した感光体に現像剤を付与して現像した現像剤像を用紙に転写し当該現像剤像の転写された用紙を定着手段で所定の定着温度に加熱して定着させて画像形成を行う記録手段等の各種資源を使用してコピー処理、プリント処理、ファクシミリ通信処理等の各種機能動作処理を行うとともに、所定の待機状態で定着手段の温度を定着温度よりも低い所定の予熱温度に下げて待機する定着予熱モードを行うに際して、定着予熱モード時に、読取手段への原稿の挿入を原稿挿入検出手段が検出すると、当該定着予熱モードを解除するので、従来のように定着予熱モード解除ボタン等を操作することなく、定着予熱モードを解除することができ、利用性を向上させることができる。
【００２０】
この場合、例えば、請求項４に記載するように、前記複合装置は、前記読取手段の読み取った原稿の画像データを蓄積する画像データ蓄積手段を備え、前記原稿挿入検出手段が前記原稿を検出して前記定着予熱モードを解除した時に、前記定着手段の温度が前記定着温度よりも低い温度であっても、前記読取手段による原稿の読み取りを開始して、当該読み取った原稿の画像データを一旦前記画像データ蓄積手段に蓄積し、前記定着手段の温度が前記定着温度になると、当該画像データ蓄積手段に蓄積した前記画像データに基づいて前記記録手段で画像形成するものであってもよい。
【００２１】
上記構成によれば、原稿挿入検出手段が原稿を検出して定着予熱モードを解除した時に、定着手段の温度が定着温度よりも低い温度であっても、読取手段による原稿の読み取りを開始して、当該読み取った原稿の画像データを一旦画像データ蓄積手段に蓄積し、定着手段の温度が定着温度になると、当該画像データ蓄積手段に蓄積した画像データに基づいて記録手段で画像形成するので、定着手段の温度が定着温度になるまで待つことなく、読取手段での原稿の読み取りを開始させて、定着予熱モード解除から原稿の読取動作及び画像データの蓄積等の一連の動作をスムースに行わせることができ、処理時間を短縮することができるとともに、より一層利用性を向上させることができる。
【００２２】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２３】
図１〜図３は、本発明の複合装置の一実施の形態を示す図であり、図１は、本発明の複合装置の一実施の形態を適用したデジタル複合装置１の外観概略斜視図である。
【００２４】
図１において、デジタル複合装置１は、本体筐体２の下部から記録紙供給部３、画像形成部４及び画像読取部５が順次設けられており、画像読取部５の上部に、操作表示部６が設けられている。
【００２５】
操作表示部６には、各種操作キー１１やディスプレイ１２が設けられているとともに、省エネルギ解除ボタン１３と定着予熱解除ボタン１４が設けられており、各種操作キー１１は、デジタル複合装置１のコピー動作、スキャナ動作等の各種動作の指示操作を行うのに使用され、ディスプレイ１２は、操作キー１１から入力された指示命令の内容やデジタル複合装置１からオペレータに通知する各種情報、例えば、デジタル複合装置１の動作状態情報等を表示出力する。
【００２６】
省エネルギ解除ボタン１３は、省エネルギモードの解除を指示操作するのに使用され、この省エネルギモードでは、デジタル複合装置１の主要各部への通電を停止したり、電圧を低下させて、消費電力を削減する。
【００２７】
定着予熱解除ボタン１４は、定着予熱モードの解除を指示操作するのに使用され、この定着予熱モードでは、画像形成部４の定着部の温度を規定の定着温度よりも低い予熱温度に下げて制御し、操作表示部６等の表示を消すこと等により、消費電力を節約する。
【００２８】
画像読取部（読取手段）５には、その原稿挿入部５ａにシート状の原稿Ｇが挿入され、当該原稿Ｇの挿入を検出する原稿挿入検出部１５が設けられている。原稿挿入部（原稿挿入検出手段）１５は、画像読取部５の原稿挿入部５ａに挿入される原稿Ｇを検出する。
【００２９】
このデジタル複合装置１は、図２に示すようにブロック構成されており、上記画像形成部４、画像読取部５、操作表示部６及び原稿挿入検出部１５を備えているとともに、システム制御部２１、画像処理部２２、外部ＩＦ部２３、ＩＯ部２４及び画像メモリ部２５等を備えている。
【００３０】
画像形成部４は、例えば、電子写真方式の画像形成部が用いられており、この電子写真方式の画像形成部では、回転駆動される感光体を中心に、画像書込部、現像部及び転写部等が配設され、さらに、定着部及び帯電部やクリーニング部等が配設されている。画像形成部４は、帯電部で一様に帯電された感光体上に、画像書込部が画像読取部５で読み取った原稿の画像データに基づいて変調した書込光を照射して、静電潜像を形成する。画像形成部４は、この静電潜像の形成された感光体に現像部からトナー（現像剤）を供給して現像し、感光体上のトナー画像を転写部と感光体との間に上記記録紙供給部３から搬送されてくる記録紙（用紙）に転写して、トナー画像の転写の完了した記録紙を定着部に搬送する。定着部は、例えば、定着温度に加熱された加熱ローラと加熱ローラに圧接されている加圧ローラを備え、これらの加熱ローラと加圧ローラを回転させて、トナー画像の転写された記録紙を搬送しつつ加熱・加圧して定着させて、定着の完了した記録紙を図示しない排紙トレイに送り出す。
【００３１】
そして、この画像形成部４の定着部は、定着動作時には、その加熱ローラが所定の定着温度に加熱制御されているが、定着予熱モードでは、所定の一定温度に下げた温度に制御される。
【００３２】
画像読取部５は、原稿挿入部５ａに挿入されるシート状の原稿Ｇに読取光を照射して、原稿Ｇで反射された反射光をＣＣＤ（Charge Coupled Device ）に入射し、ＣＣＤで光電変換することで、原稿Ｇの画像を読み取って、当該読み取った原稿Ｇの画像の画像データを画像処理部２２に出力する。
【００３３】
画像処理部２２は、画像読取部５から入力される画像データをデジタルの画像データに変換し、当該デジタル画像データに、原稿Ｇを照射する光源の照射ムラやＣＣＤの感度ばらつきを補正するシェーディング補正、光学系によるボケを補正するＭＴＦ補正、画像の読み取り密度の変化、読み取った画像データを用いてデータ補間する変倍処理等の各種画像処理を施して、システム制御部２１に出力する。
【００３４】
システム制御部２１は、内部メモリに格納されているプログラムに基づいてデジタル複合装置１の各部を制御して、デジタル複合装置１としての基本処理を行うとともに、省エネルギモード処理、定着予熱モード処理を行い、また、原稿挿入に基づく省エネルギ解除制御処理及び定着予熱解除制御処理を行う。
【００３５】
すなわち、デジタル複合装置１は、画像読取部５、画像形成部４等の各種資源を備え、当該各資源を使用してコピー処理、プリント処理、ファクシミリ通信処理等の各種機能動作処理を行うとともに、システム制御部２１の制御下でモード制御を行い、消費電力を節減する省エネルギモードと画像形成部４の定着部の温度を規定の定着温度よりも低い予熱温度に下げて制御する定着予熱モードを備えており、また、図示しないメイン電源を備えているとともに、省エネルギモード時や定着予熱モード時に当該省エネルギモード時や定着予熱モード時にも通電する必要のある部分に通電するサブ電源を備えている。そして、デジタル複合装置１は、省エネルギモードでは、例えば、図２に太線で記載されている部分であるシステム制御部２１、原稿挿入検出部１５、外部ＩＦ部２３にのみサブ電源から通電を行い、定着予熱モードでは、画像形成部４の定着部の定着温度を一定温度に下げて制御する。
【００３６】
そして、システム制御部２１は、これらの省エネルギモードや定着予熱モードへの移行及び省エネルギモードや定着予熱モードからの解除制御処理を行う。特に、システム制御部２１には、原稿挿入検出部１５から検出信号が入力され、システム制御部２１は、省エネルギモード時や定着予熱モード時に原稿挿入検出部１５から原稿Ｇを検出した旨の検出信号が入力されると、後述する省エネルギ解除制御処理や定着予熱解除制御処理を行う。
【００３７】
操作表示部６は、上記操作キー１１、省エネルギ解除ボタン１３及び定着予熱解除ボタン１４等のキー操作内容をシステム制御部２１に出力し、システム制御部２１は、これらのキー操作内容に基づいてデジタル複合装置１としての基本処理を行うとともに、省エネルギ解除制御処理及び定着予熱解除制御処理を行う。
【００３８】
画像メモリ部（画像データ蓄積手段）２５は、例えば、ハードディスクや大容量ＲＡＭ（Random Access Memory）等で構成され、システム制御部２１の制御下で画像読取部５の読み取った画像データ等を蓄積する。
【００３９】
外部ＩＦ部２３には、コンピュータやサーバ等の外部機器が接続され、外部ＩＦ部２３は、システム制御部２１の制御下で、当該外部機器との間で、コマンドやデータの授受を行う。
【００４０】
ＩＯ部２４は、用紙センサや各種ドライバ等の各種外部部品が接続され、ＩＯ部２４は、当該外部部品との間でデータやコマンドの授受を行う。
【００４１】
次に、本実施の形態の作用を説明する。本実施の形態のデジタル複合装置１は、待機状態時に消費電力を削減する省エネルギモードと画像形成部４の定着部を定着温度よりも一定温度下げた予熱温度に制御する定着予熱モードを有しているが、操作表示部６の省エネ解除ボタン１３で省エネルギモードを解除し、また、定着予熱解除ボタン１４で定着予熱モードを解除するだけでなく、画像読取部５の原稿挿入部５ａへの原稿Ｇの挿入によっても省エネルギモード及び定着予熱モードを解除する。
【００４２】
すなわち、デジタル複合装置１は、省エネルギモードまたは定着予熱モード時に、原稿Ｇが画像読取部５の原稿挿入部５ａに挿入されると（ステップＳ１０１）、原稿挿入検出部１５が当該原稿Ｇの挿入を検出して、検出結果をシステム制御部２１に出力し、システム制御部２１が原稿Ｇが挿入されたことを認識する（ステップＳ１０２）。すなわち、上述のように、デジタル複合装置１は、省エネルギモードや定着予熱モードにおいても、原稿挿入検出部１５、システム制御部２１及び外部ＩＦ部２３には、サブ電源から電源が供給されており、原稿挿入検出部１５が原稿Ｇの原稿挿入部５ａへの挿入を検出し、この原稿挿入検出部１５からの原稿Ｇの挿入を検出した旨の信号をシステム制御部２１が受け取って、原稿Ｇの挿入を認識する。
【００４３】
システム制御部２１は、原稿Ｇの挿入を認識すると、現在のデジタル複合装置１のモードが省エネルギモードであるか、定着予熱モードであるか判断して、モードが省エネルギモードであると、当該省エネルギモードを解除する（ステップＳ１０３）。また、システム制御部２１は、現在のモードが定着予熱モードであると、当該定着予熱モードを解除する（ステップＳ１０４）。
【００４４】
システム制御部２１は、省エネルギモードまたは定着予熱モードを解除すると、メイン電源を立ち上げて、デジタル複合装置１の各部にメイン電源から電源を供給し（ステップＳ１０５）、画像読取部５を駆動させて、挿入された原稿Ｇの画像の読み取りを開始させる（ステップＳ１０６）。
【００４５】
システム制御部２１は、画像読取部５の読み取った原稿Ｇの画像データを画像メモリ部２５に蓄積し（ステップＳ１０７）、画像読取部５に読み取りの完了した原稿Ｇを排出させる（ステップＳ１０８）
システム制御部２１は、原稿Ｇの画像データを画像メモリ部２５に蓄積すると、画像形成部４の定着部の温度が定着温度（規定値）に達しているかチェックし（ステップＳ１０９）、定着部の温度が規定の定着温度に達していると、画像メモリ部２５に格納した原稿Ｇの画像データを読み出して、画像形成部４に渡す。システム制御部２１は、画像形成部４を駆動させて、当該画像データの画像を記録紙に形成させ（ステップＳ１１０）、画像の記録の完了した記録紙を排紙トレイに排出させて、処理を終了する（ステップＳ１１１）。
【００４６】
なお、上記処理では、メイン電源を立ち上げて原稿Ｇの読み取りを開始すると、当該読み取った原稿Ｇの画像データをそのまま画像メモリ部２５に蓄積しているが、画像データを画像メモリ部２５に蓄積する前に、定着部の定着温度が規定の定着温度になっているかチェックして、規定の定着温度になっていると、画像データを画像メモリ部２５に蓄積することなく、そのまま画像形成部４に画像データを転送して、画像形成部４で記録紙に画像を記録出力するようにしてもよいし、また、まず、定着部の温度チェックを行って、定着部の温度が規定の定着温度になるのを待ち、定着部の温度が規定の定着温度になると、画像読取部４での原稿Ｇの読取開始して、そのまま画像形成部４に画像データを転送して、記録紙に画像を記録出力するようにしてもよい。
【００４７】
このように、本実施の形態のデジタル複合装置１は、原稿Ｇの画像を読み取って画像データを出力する画像読取部５、画像データに基づいて画像を用紙に記録出力する画像形成部４等の各種資源を使用してコピー処理、プリント処理、ファクシミリ通信処理等の各種機能動作処理を行うとともに、所定の待機状態で主要各部への電力供給を削減する省エネルギモードを行うに際して、当該省エネルギモード時に、画像読取部５の原稿挿入部５ａへの原稿Ｇの挿入を原稿挿入検出部１５が検出すると、当該省エネルギモードを解除している。
【００４８】
したがって、従来のように省エネルギモード解除ボタン等を操作することなく、省エネルギモードを解除することができ、複合装置１の利用性を向上させることができる。
【００４９】
また、本実施の形態のデジタル複合装置１は、原稿挿入検出部１５が原稿Ｇを検出して省エネルギモードを解除した時に、画像形成部４の定着部の温度が定着温度よりも低い温度であっても、画像読取部５による原稿Ｇの読み取りを開始して、当該読み取った原稿の画像データを一旦画像メモリ部２５に蓄積し、定着部の温度が定着温度になると、当該画像メモリ部２５に蓄積した画像データに基づいて画像形成部４で画像形成している。
【００５０】
したがって、定着部の温度が定着温度になるまで待つことなく、画像読取部５での原稿Ｇの読み取りを開始させて、省エネルギモード解除から原稿Ｇの読取動作及び画像データの蓄積等の一連の動作をスムースに行わせることができ、処理時間を短縮することができるとともに、デジタル複合装置１の利用性をより一層向上させることができる。
【００５１】
さらに、本実施の形態のデジタル複合装置１は、定着予熱モード時に、画像読取部５への原稿Ｇの挿入を原稿挿入検出部１５が検出すると、当該定着予熱モードを解除している。
【００５２】
したがって、従来のように定着予熱モード解除ボタン等を操作することなく、定着予熱モードを解除することができ、デジタル複合装置１の利用性を向上させることができる。
【００５３】
また、本実施の形態のデジタル複合装置１は、原稿挿入検出部１５が原稿Ｇを検出して定着予熱モードを解除した時に、定着部の温度が定着温度よりも低い温度であっても、画像読取部５による原稿Ｇの読み取りを開始して、当該読み取った原稿Ｇの画像データを一旦画像メモリ部２５に蓄積し、定着部の温度が定着温度になると、当該画像メモリ部２５に蓄積した画像データに基づいて画像形成部４で画像形成している。
【００５４】
したがって、定着部の温度が定着温度になるまで待つことなく、画像読取部５での原稿Ｇの読み取りを開始させて、定着予熱モード解除から原稿Ｇの読取動作及び画像データの蓄積等の一連の動作をスムースに行わせることができ、処理時間を短縮することができるとともに、デジタル複合装置１の利用性をより一層向上させることができる。
【００５５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５６】
【発明の効果】
請求項１記載の発明の複合装置によれば、原稿の画像を読み取って画像データを出力する読取手段、画像データに基づいて画像を用紙に記録出力する記録手段等の各種資源を使用してコピー処理、プリント処理、ファクシミリ通信処理等の各種機能動作処理を行うとともに、所定の待機状態で主要各部への電力供給を削減する省エネルギモードを行うに際して、当該省エネルギモード時に、読取手段への原稿の挿入を原稿挿入検出手段が検出すると、当該省エネルギモードを解除するので、従来のように省エネルギモード解除ボタン等を操作することなく、省エネルギモードを解除することができ、利用性を向上させることができる。
【００５７】
請求項２記載の発明の複合装置によれば、原稿挿入検出手段が原稿を検出して省エネルギモードを解除した時に、記録手段の定着手段の温度が定着温度よりも低い温度であっても、読取手段による原稿の読み取りを開始して、当該読み取った原稿の画像データを一旦画像データ蓄積手段に蓄積し、定着手段の温度が定着温度になると、当該画像データ蓄積手段に蓄積した画像データに基づいて記録手段で画像形成するので、定着手段の温度が定着温度になるまで待つことなく、読取手段での原稿の読み取りを開始させて、省エネルギモード解除から原稿の読取動作及び画像データの蓄積等の一連の動作をスムースに行わせることができ、処理時間を短縮することができるとともに、より一層利用性を向上させることができる。
【００５８】
請求項３記載の発明の複合装置によれば、原稿の画像を読み取って画像データを出力する読取手段、画像データに基づいて静電潜像を形成した感光体に現像剤を付与して現像した現像剤像を用紙に転写し当該現像剤像の転写された用紙を定着手段で所定の定着温度に加熱して定着させて画像形成を行う記録手段等の各種資源を使用してコピー処理、プリント処理、ファクシミリ通信処理等の各種機能動作処理を行うとともに、所定の待機状態で定着手段の温度を定着温度よりも低い所定の予熱温度に下げて待機する定着予熱モードを行うに際して、定着予熱モード時に、読取手段への原稿の挿入を原稿挿入検出手段が検出すると、当該定着予熱モードを解除するので、従来のように定着予熱モード解除ボタン等を操作することなく、定着予熱モードを解除することができ、利用性を向上させることができる。
【００５９】
請求項４記載の発明の複合装置によれば、原稿挿入検出手段が原稿を検出して定着予熱モードを解除した時に、定着手段の温度が定着温度よりも低い温度であっても、読取手段による原稿の読み取りを開始して、当該読み取った原稿の画像データを一旦画像データ蓄積手段に蓄積し、定着手段の温度が定着温度になると、当該画像データ蓄積手段に蓄積した画像データに基づいて記録手段で画像形成するので、定着手段の温度が定着温度になるまで待つことなく、読取手段での原稿の読み取りを開始させて、定着予熱モード解除から原稿の読取動作及び画像データの蓄積等の一連の動作をスムースに行わせることができ、処理時間を短縮することができるとともに、より一層利用性を向上させることができる。
【図面の簡単な説明】
【図１】本発明の複合装置の一実施の形態を適用したデジタル複合装置の外観概略斜視図。
【図２】図１のデジタル複合装置の要部回路ブロック構成図。
【図３】図１及び図２のデジタル複合装置による省エネ／予熱モード制御処理を示すフローチャート。
【符号の説明】
１  デジタル複合装置
２  本体筐体
３  記録紙供給部
４  画像形成部
５  画像読取部
５ａ  原稿挿入部
６  操作表示部
１１  操作キー
１２  ディスプレイ
１３  省エネルギ解除ボタン
１４  定着予熱解除ボタン
１５  原稿挿入部
２１  システム制御部
２２  画像処理部
２３  外部ＩＦ部
２４  ＩＯ部
２５  画像メモリ部
【図１】
2004200995.tif 000003
【図２】
2004200995.tif 000004
【図３】
2004200995.tif 000005